(57)【要約】      （修正有）【課題】袋体に入れた４つの指の腹を使って選択的な身体の洗浄が可能なミトンを提供する。【解決手段】身体洗浄用のミトン１０は編み物又は織物からなる布製の袋体１２と、織物又は編み物からなる布片１４とを備える。袋体は互いに相対する２つの面を有し、両面間に手の親指の受入れ空間１８及び他の４つの指の受入れ空間２０を含む手の受入れ空間１６を規定する。布片は、袋体の一方の面上に取り付けられ、一方の面の一部又は全部を覆っている。布片の目の粗さは袋体の目の粗さより小さい。目の粗さが比較的小さい布片は、比較的柔らかい肌の部分の洗浄に適し、目の粗さが比較的大きい袋体の面は肌の角質部分の洗浄に適する。【選択図】図１
0003222752.tif 000002
【実用新案登録請求の範囲】
【請求項１】
互いに相対する２つの面を有し、両面間に手の親指の受入れ空間及び他の４つの指の受入れ空間を含む手の受入れ空間を規定する編み物又は織物からなる布製の袋体と、
前記袋体の両面のうちの一方の面上に取り付けられ前記一方の面の一部又は全部を覆う織物又は編み物からなる布片であってその目の粗さが前記袋体の目の粗さより小さい布片とを備える、身体洗浄用のミトン。
【請求項２】
前記袋体の両面及び前記布片は一条のステッチにより互いに縫い合わされ、
前記ステッチは、前記他の４つの指の受入れ空間を、人差し指及び中指を受け入れる一の受入れ空間部と、薬指及び小指を受け入れる他の受入れ空間部とに区画する、請求項１に記載のミトン。
【請求項３】
前記一の受入れ空間部の区画幅は前記他の受入れ空間部の区画幅より広い、請求項２に記載のミトン。
【請求項４】
前記袋体は、互いに間隔をおいて配置された２つの合成繊維製の編地と両編地間を伸びかつ両編地を互いに連結する合成繊維製の連結糸とからなる三層構造の編み物からなり、
前記布片はマイクロファイバークロスからなる、請求項１〜３のいずれか１項に記載のミトン。
【請求項５】
前記布片は、前記他の４つの指の受入れ空間上において前記袋体の一方の面の一部を覆う、請求項１〜４のいずれか１項に記載のミトン。
【請求項６】
前記布片はその周縁に沿って前記袋体の一方の面に縫い付けられている、請求項１〜５のいずれか１項に記載のミトン。
【考案の詳細な説明】
【技術分野】
【０００１】
本考案は、顔面を含む身体の表面（肌）の洗浄に用いられるミトンに関する。
【背景技術】
【０００２】
従来、身体洗浄用具の一つとして手袋形の形態を有し、また、手の平側の生地と手の甲側の生地とを異にするものが提案されている。これによれば、目の粗さや材質を異にする両生地での選択的な身体の洗浄が可能とされている。
【先行技術文献】
【特許文献】
【０００３】
【特許文献１】特開２００１−１５７６４６号公報
【考案の概要】
【考案が解決しようとする課題】
【０００４】
本考案は、前記従来の身体洗浄用具の実情に鑑み、新たな身体洗浄用のミトンを提供する。
【課題を解決するための手段】
【０００５】
本考案に係る身体洗浄用のミトンは、互いに相対する２つの面を有し、両面間に手の親指の受入れ空間及び他の４つの指の受入れ空間を含む手の受入れ空間を規定する編み物又は織物からなる布製の袋体と、該袋体の両面のうちの一方の面上に取り付けられ前記一方の面の一部又は全部を覆う織物又は編み物からなる布片であってその目の粗さが前記袋体の目の粗さより小さい布片とを備える。
【０００６】
本考案に係るミトンにあっては、前記袋体に入れた手の特に前記他の４つの指の腹を使っての、前記袋体の一方の面上の布片及び前記袋体の他方の面による選択的な身体の洗浄が可能である。目の粗さが比較的小さい前記布片は、特に、比較的柔らかい肌の部分の洗浄に適し、また、目の粗さが比較的大きい前記袋体の他方の面は肌の角質部分の洗浄に適する。
【０００７】
本考案にあっては、前記袋体の一方の面上に取り付けられ該一方の面の一部又は全部を覆う前記布片が前記袋体の一方の面上にあってこれに支持されている。これによれば、前記布片を身体の洗浄に単独で用いる場合と異なり、前記布片を肌に押し当てて擦るとき、前記袋体の一方の面と前記布片との間に生じる摩擦のために、前記布片に生じる皺寄りが制限され、前記布片の洗浄機能の低下が回避される。
【０００８】
前記袋体の両面及び前記布片は一条のステッチにより互いに縫い合わされたものとすることができる。前記ステッチは、前記他の４つの指の受入れ空間を、人差し指及び中指を受け入れる受入れ空間部（一の受入れ空間部）と、薬指及び小指を受け入れる受入れ空間部（他の受入れ空間部）とに区画する。
【０００９】
これによれば、前記他の４つの指のうちの２つの指（人差し指及び中指）と残りの２つの指（薬指及び小指）とを区画された２つの受入れ空間部内に拘束することができる。これにより、前記袋体及び布片に石鹸や洗浄液をつけて行う身体の洗浄に際し、前記袋体に対する前記他の４つの指の滑りを抑制し、前記袋体と前記他の４つの指との一体性を保持することができる。また、前記ステッチは、前記身体の洗浄時における前記布片の皺寄りの発生の低減に寄与する。
【００１０】
人差し指と中指とを受け入れる前記一の受入れ空間部の区画幅は、好ましくは、薬指と小指とを受け入れる前記他の受入れ空間部の区画幅より広いものに設定される。
【００１１】
これによれば、比較的力を入れ易くまた動きをコントロールし易い２つの指（人差し指及び中指）を広いスペースに収め、反対に、比較的力を入れにくくまた動きをコントロールしにくい２つの指（薬指及び小指）を狭いスペースに収めることができる。これにより、前記２つの指（人差し指及び中指）の動きの自由度を高め、他方、前記２つの指（薬指及び小指）についてはこれらの自由な動きを制限し、人差し指及び中指を使った前記ミトンの洗浄機能をより高めることができる。
【００１２】
前記袋体は、例えば、互いに間隔をおいて配置された２つの合成繊維製の編地と両編地間を伸びかつ両編地を互いに連結する合成繊維製の連結糸とからなる三層構造の編み物からなり、また、前記布片がマイクロファイバークロスからなるものとすることができる。前記三層構造の編み物はクッション性を有する。
【００１３】
前記布片は、前記他の４つの指の受入れ空間上において前記袋体の一方の面の一部を覆うものとすることができる。また、前記布片はその周縁に沿って前記袋体の一方の面に縫い付けられたものとすることができる。
【図面の簡単な説明】
【００１４】
【図１】ミトンを手の平側及び手の甲側のうちの一方の側から見た平面図である。
【図２】図１に示すミトンを手の平側及び手の甲側のうちの他の一方の側から見た平面図である。
【図３】ミトンを構成する袋体の概略的な部分断面図である。
【考案を実施するための形態】
【００１５】
図１及び図２を参照すると、本考案の一例に係る身体洗浄用のミトンが全体に符号１０で示されている。
【００１６】
ミトン１０は、編み物又は織物、好ましくは編み物からなる布製の袋体１２と、織物又は編み物、好ましくは織物からなる布片１４とを備える。
【００１７】
袋体１２は、手を差し入れる口部１２ａと、該口部に相対する先端部１２ｂと、手をその平側及び甲側の一方及び他方においてそれぞれ覆う、互いに相対する２つの面１２ｃ（図１）、１２ｄ（図２）とを有する。両面１２ｃ、１２ｄはそれぞれミトン１０の平面形状であるミトンの手形を有し、両面１２ｃ、１２ｄ間に手の受入れ空間１６を規定する。
【００１８】
袋体１２の手の受入れ空間１６は、手の親指の受入れ空間１８と、他の４つの指（人差し指、中指、薬指及び小指）の受入れ空間２０とを含む。袋体１２は、親指の受入れ空間１８を規定する指袋２２と、他の４つの指（以下、「４つの指」という。）の受入れ空間２０を規定する指袋２４とを有する。４つの指の指袋２４の先端部は袋体１２の先端部１２ｂをなす。４つの指の指袋２４の先端部は、４つの指が指袋２４内に適度に収まり、これにフィットするように、４つの指の先端に沿って湾曲して伸びている。
【００１９】
図示の袋体１２は、前記ミトンの手形を模ってなる２枚の布地をこれらの周縁部において糸（図示せず）で互いに縫い合わせてなる。符号２６は、袋体１２の口部１２ａに糸２７で縫い付けられた布製の縁取りを示す。図示の例に代えて、前記ミトンの手形を左右対称に模ってなる１枚の布地を互いに他の一方に向けて折り重ね、これらの周縁部を互いに縫い合わせてなるものとすることができる。
【００２０】
布片１４は、袋体１２の両面１２ｃ、１２ｄのうちの一方の面１２ｃ上に取り付けられ、袋体１２の一方の面１２ｃの一部を覆っている。袋体１２の一方の面１２ｃの前記一部は、好ましくは、図１に示すように、４つの指の受入れ空間２０上の部分、すなわち４つの指の指袋２４の部分からなる。ただし、布片１４が覆う袋体１２の一方の面１２ｃの前記一部として、図示の例に代えて、例えば親指の指袋２２の部分、手の平に相対する部分等とすることができる。また、図示の例に代えて、布片１４は、袋体１２の一方の面１２ｃの全部、すなわち親指の指袋２２の部分、４つの指の指袋２４の部分及び前記手の平に相対する部分とすることができる。
【００２１】
布片１４の取り付けは、その周縁部を袋体１２に糸２８で縫い付けることにより、あるいはその周縁部を接着剤で袋体１２に接着することにより行うことができる。
【００２２】
ミトン１０による身体の洗浄は、単一のミトン１０又は左右対称の一対のミトン１０を準備し、また、前記ミトンに水や石鹸、洗浄液等をつけて、ミトン１０の袋体１２に差し入れた手の指腹及び手の平の全部または一部を使って袋体１２の両面１２ｃ、１２ｄの一方又は他方を身体に押し当て、袋体１２又は布片１４で肌を擦ることにより行う。
【００２３】
本考案に係るミトン１０にあっては、布片１４が袋体１２の一方の面１２ｃ上に支持されている。これによれば、前記布片を身体の洗浄に単独で用いる場合と異なり、身体の洗浄のために布片１４を肌に押し当てて擦るとき、袋体１２と布片１４との間に生じる摩擦のために布片１４に生じる皺寄りが制限され、また、これにより布片１４の洗浄機能の低下が抑制される。
【００２４】
布片１４は、袋体１２の目の粗さより小さい目の粗さを有する。より詳細には、図示の例において、織物からなる布片１４は織り目（図示せず）を有し、編み物からなる袋体１２は網目（編み目）２９を有し、前記織り目の大きさは網目２９の大きさより小さい。前記織り目の大きさ及び前記網目の大きさは、前記目の粗さの関係（布片１４の目の大きさ＜袋体１２の目の大きさ）を満たす限り、任意に定めることができる。一例としての図示の袋体１２の網目２９は矩形状を呈し、約３ｍｍ×４ｍｍの大きさを有する。目の粗さが比較的小さい布片１４は比較的柔らかい肌の部分の洗浄に適し、また、目の粗さが比較的大きい袋体１２は例えば肌の角質部分の洗浄に適する。
【００２５】
図示の袋体１２及び布片１４はいずれも合成繊維製のものからなる。ただし、袋体１２及び布片１４のいずれか一方又は双方が天然繊維製であることを妨げない。
【００２６】
図示の袋体１２は、三層構造の編み物３０（図３）からなる。この編み物３０は、互いに間隔をおいて配置された２つの合成繊維（ポリエステル繊維、ポリ塩化ビニリデン系の繊維等）製の編地３２、３４と、両編地３２、３４間を伸びかつ両編地３２、３４を互いに連結する合成繊維（ポリエステル繊維、ポリ塩化ビニリデン系の繊維等）製の連結糸３６とからなり、クッション性を有する。袋体１２は、これを三層構造の編み物とする図示の例に代えて一層又は一重の編地のみを有する編み物からなるものとすることができる。また、図示の布片１４は、ナイロン繊維やポリエステル繊維のような合成繊維製のマイクロファイバークロスからなり、比較的緻密な織り目を有する。
【００２７】
袋体１２の両面１２ｃ、１２ｄと布片１４とは、好ましくは、一条のステッチ３８により互いに縫い合わされている。ステッチ３８は、４つの指の受入れ空間２０を、人差し指及び中指を受け入れる一の受入れ空間部２０ａと、薬指及び小指を受け入れる他の受入れ空間部２０ｂとに区画する。図示のステッチ３８は、袋体１２の先端部１２ｂから口部１２ａに向けて直線的に伸びている。ステッチ３８は、図示の例に代えて、袋体１２の先端部１２ｂから口部１２ａに向けて間隔を置いた点を始点として、したがって先端部１２ｂを始点としないで、口部１２ａに向けて伸びるものとすることができる。
【００２８】
これによれば、４つの指のうちの２つの指（人差し指及び中指）と残りの２つの指（薬指及び小指）とをそれぞれ２つの受入れ空間部２０ａ、２０ｂ内に拘束することができる。これにより、身体の洗浄に際し、袋体１２に対する４つの指の滑りが抑制され、袋体１２と４つの指との一体性が保持される。また、ステッチ３８は、身体の洗浄時における布片１４の皺寄りの発生防止に寄与する。
【００２９】
好ましくは、一の受入れ空間部２０ａの区画幅ａが、他の受入れ空間部２０ｂの区画幅ｂより広いものに設定される。
【００３０】
これによれば、比較的力を入れ易くまた動きをコントロールのし易い２つの指（人差し指及び中指）を広いスペースに収め、反対に、比較的力を入れにくくまた動きをコントロールしにくい２つの指（薬指及び小指）を狭いスペースに収めることができる。これにより、一方の２つの指（人差し指及び中指）の動きの自由度を高め、他方の２つの指（薬指及び小指）についてはこれらの自由な動きを制限し、人差し指及び中指を使ったミトン１０の洗浄機能をより高めることができる。
【符号の説明】
【００３１】
１０  ミトン
１２  袋体
１４  布片
１６  手の受入れ空間
１８  親指の受入れ空間
２０  ４つの指の受入れ空間
２０ａ  人差し指及び中指の受入れ空間部（一の受入れ空間部）
２０ｂ  薬指及び小指の受入れ空間部（他の受入れ空間部）
２２  親指の指袋
２４  ４つの指の指袋
２９  袋体の目（網目）
３０  編み物
３２、３４  編地
３６  連結糸
【図１】
0003222752.tif 000003
【図２】
0003222752.tif 000004
【図３】
0003222752.tif 000005